(57)【要約】【課題】複数枚重ね合わせられた印字済帳票のそれぞれの枚目が正しく組み合わせられているか、容易にしかも確実に検証可能な重ね合わせ帳票、およびその検証方法を提供することを目的とする。【解決手段】前記課題の目的を達成するために連続紙同士、カット紙同士、または連続紙とカット紙の組合せより、２枚以上の帳票を互いに対応する単位帳票毎に重ね合わせて成る重ね合わせ帳票であって、前記各単位帳票は、片面に印字部を有し、前記各印字部には重ね合わせる単位帳票同士を検証するための検証情報を含む単位帳票固有の情報が印字された重ね合わせ帳票およびその検証方法を提供する。【選択図】  図５
2005088504.tif 000002
【特許請求の範囲】
【請求項１】
連続紙同士、カット紙同士、または連続紙とカット紙の組合せより、２枚以上の帳票を互いに対応する単位帳票毎に重ね合わせて成る重ね合わせ帳票であって、
前記各単位帳票は、片面に印字部を有し、前記各印字部には重ね合わせる単位帳票同士を検証するための検証情報を含む単位帳票固有の情報が印字されたことを特徴とする重ね合わせ帳票。
【請求項２】
前記印字による検証情報は、単位帳票の幅方向端部、またはスプロケットホール部に形成されたことを特徴とする請求項１に記載の重ね合わせ帳票。
【請求項３】
前記印字による検証情報は、単位帳票の幅方向端部またはスプロケットホール部の片側、または両側に形成された長さ方向を任意の長さに区画された少なくとも１箇所に形成されたマークであることを特徴とする請求項２に記載の重ね合わせ帳票。
【請求項４】
前記印字による検証情報は、単位帳票の幅方向端部、またはスプロケットホール部の所定の箇所に形成された文字または記号であることを特徴とする請求項２に記載の重ね合わせ帳票。
【請求項５】
前記文字または記号は、単位帳票に印字された前記固有の情報に関連する文字または記号であることを特徴とする請求項４に記載の重ね合わせ帳票。
【請求項６】
重ね合わせられた１枚目と２枚目の単位帳票に印字された前記検証情報は、それぞれが重ならない状態で、隣り合って形成されたことを特徴とする請求項１〜５に記載の重ね合わせ帳票。
【請求項７】
重ね合わせられた単位帳票に印字された検証情報によって重ね合わせの整合性を検証する方法であって、
１枚目の単位帳票の基材を透かして視認された２枚目の検証情報と、１枚目に表出した検証情報とを照合することによって実行されることを特徴とする、請求項６に記載の重ね合わせ帳票の検証方法。
【請求項８】
重ね合わせられた単位帳票に印字された検証情報によって重ね合わせの整合性を検証する方法であって、
１枚目の単位帳票に形成された開口部に表出した２枚目の検証情報と、１枚目に表出した検証情報とを照合することによって実行されることを特徴とする、請求項６に記載の重ね合わせ帳票の検証方法。
【発明の詳細な説明】
【技術分野】
【０００１】
本発明は、印字済帳票の重ね合わせ結果の整合性について検証するためのマークつき帳票およびその検証方法に関する。
【背景技術】
【０００２】
２枚重ね合わされた帳票、たとえば、証書類、保証書などは、1枚目帳票と２枚目帳票が左右に連接されて作製され、プリンタで印字処理された後、帳票のセンター部分で左右にスリットされて重ね合わせられた後、印字方向に対し直角に形成された切断用ミシン部分で切断されて単票化される。このように単票化するために重ね合わせることを丁合という。
【０００３】
丁合によって作製される帳票には、前述の２枚物の他に、３枚以上の物や、全面に接着剤が塗布され、でき上がった状態が1枚の葉書のようになった積層体の物や、内側が空洞になった封筒状の物などさまざまである。
【０００４】
また、複数の帳票が重ね合わされ、片側が糊付けされた複写伝票も丁合によって作成される帳票である。
【０００５】
これらの重ね合わせ帳票は、プリンタによって印字処理された後、それぞれの枚目を丁合機にセットし、各枚目を一方向に駆動しながら関連する帳票単位片同士が整合するように丁合し、スプロケットホールなどを含む両側端部をスリットすると共に前記切断用ミシン目で切断することによって作製される。
【０００６】
連続紙を丁合する場合は、丁合される各枚目の先頭部分を確認して整合性を確認し、その後に続く帳票も正しい順序でプリントされているものとして丁合される。
【０００７】
丁合時において、連続紙が詰まったり、切断用ミシンで切れた場合、丁合機がこれを検知して停止する。その度毎に帳票単位片に印字されたデータ内容を検証する。
【０００８】
このような各枚目の整合性を確認するための方法として、いくつかの技術が提案されている。
【０００９】
例えば、接着剤などによって複数枚を丁合し、機械読み取りマークなどで各枚目の整合性を検証する技術が開示されている（例えば、特許文献１〜２参照）。
【特許文献１】特開平１−３１６８８５号公報，
【特許文献２】特開２０００−２２５７８６号公報  しかし、丁合時トラブルがあった場合、機械読み取りマークでは丁合を再スタートするときに整合が困難であった。
【００１０】
また、近年では、複写機がコンピュータに接続されてプリンタとして使用されていることが多く、カット紙でプリントされたものを証書にするニーズも増加している。
【発明の開示】
【発明が解決しようとする課題】
【００１１】
そこで本発明は、複数枚重ね合わせられた印字済帳票のそれぞれの枚目が正しく組み合わせられているか、容易にしかも確実に検証可能な重ね合わせ帳票、およびその検証方法を提供することを目的とする。
【課題を解決するための手段】
【００１２】
前記課題の目的を達成するために本発明の重ね合わせ帳票の請求項1に記載の発明は、連続紙同士、カット紙同士、または連続紙とカット紙の組合せより、２枚以上の帳票を互いに対応する単位帳票毎に重ね合わせて成る重ね合わせ帳票であって、前記各単位帳票は、片面に印字部を有し、前記各印字部には重ね合わせる単位帳票同士を検証するための検証情報を含む単位帳票固有の情報が印字されていることを特徴とするものである。
【００１３】
また、請求項２に記載の発明は、請求項1に記載の発明において、印字による検証情報は、単位帳票の幅方向端部、またはスプロケットホール部に形成されたことを特徴とするものである。
【００１４】
また、請求項３に記載の発明は、請求項２に記載の発明において、印字による検証情報は、単位帳票の幅方向端部またはスプロケットホール部の片側、または両側に形成された長さ方向を任意の長さに区画された少なくとも１箇所に形成されたマークであることを特徴とするものである。
【００１５】
また、請求項４に記載の発明は、請求項２に記載の発明において、印字による検証情報は、単位帳票の幅方向端部、またはスプロケットホール部の所定の箇所に形成された文字または記号であることを特徴とするものである。
【００１６】
また、請求項５に記載の発明は、請求項４に記載の発明において、文字または記号は、単位帳票に印字された前記固有の情報に関連する文字または記号であることを特徴とするものである。
【００１７】
また、請求項６に記載の発明は、請求項１〜５に記載の発明において、重ね合わせられた１枚目と２枚目の単位帳票に印字された前記検証情報は、それぞれが重ならない状態で、隣り合って形成されたことを特徴とするものである。
【００１８】
また、請求項７に記載の発明の重ね合わせ帳票の検証方法は、重ね合わせられた単位帳票に印字された検証情報によって重ね合わせの整合性を検証する方法であって、請求項６に記載の重ね合わせ帳票において、１枚目の単位帳票の基材を透かして視認された２枚目の検証情報と、１枚目に表出した検証情報とを照合することによって実行されることを特徴とするものである。
【００１９】
また、請求項８に記載の発明の重ね合わせ帳票の検証方法は、重ね合わせられた単位帳票に印字された検証情報によって重ね合わせの整合性を検証する方法であって、請求項６に記載の重ね合わせ帳票において、１枚目の単位帳票に形成された開口部に表出した２枚目の検証情報と、１枚目に表出した検証情報とを照合することによって実行されることを特徴とするものである。
【発明の効果】
【００２０】
１）請求項１に記載の発明のように、連続紙同士、カット紙同士、または連続紙とカット紙の組合せより、２枚以上の帳票を互いに対応する単位帳票毎に重ね合わせて成る重ね合わせ帳票であって、前記各単位帳票は、片面に印字部を有し、前記各印字部には重ね合わせる単位帳票同士を検証するための検証情報を含む単位帳票固有の情報が印字されたことにより、光学読取装置などを使用することなく、重ね合わせミスを検証することができる。
【００２１】
２）また、請求項２に記載のように、請求項１に記載の発明において、印字による検証情報は、単位帳票の幅方向端部、またはスプロケットホール部に形成されたことによって帳票のデザインに影響を与えることなく検証することができる。
【００２２】
３）また、請求項３に記載のように、請求項２に記載の発明において、印字による検証情報は、単位帳票の幅方向端部またはスプロケットホール部の片側、または両側に形成された長さ方向を任意の長さに区画された少なくとも１箇所に形成されたマークであることによって場所も取らず、帳票のデザインに影響を与えることなく検証することができる。
【００２３】
４）また、請求項４に記載のように、請求項２に記載の発明において、印字による検証情報は、単位帳票の幅方向端部、またはスプロケットホール部の所定の箇所に形成された文字または記号であることによって検証のための印字エリアを限定することができ、帳票の角に設けられれば帳票を重ねたままで検証することが可能になる。
【００２４】
５）また、請求項５に記載のように、請求項４に記載の発明において、文字または記号は、単位帳票に印字された前記固有の情報に関連する文字または記号であることによって検証のための印字エリアを限定することができ、帳票の角に設けられれば帳票を重ねたままで検証することが可能になる。また、検証の精度を高めることができる。
【００２５】
６）また、請求項６に記載のように、請求項１〜５に記載の発明において、重ね合わせられた１枚目と２枚目の単位帳票に印字された前記検証情報は、それぞれが重ならない状態で、隣り合って形成されたことによって検証がし易くなる。
【００２６】
７）また、請求項７に記載の発明の、重ね合わせ帳票の検証方法のように、請求項６に記載の重ね合わせ帳票において、１枚目の単位帳票の基材を透かして視認された２枚目の検証情報と、１枚目に表出した検証情報とを照合することによって検証のために特別な面積を確保する必要がなく帳票のデザインに影響を与えることもない。
【００２７】
８）また、請求項８に記載の、発明の重ね合わせ帳票の検証方法のように、請求項６に記載の重ね合わせ帳票において、１枚目の単位帳票に形成された開口部に表出した２枚目の検証情報と、１枚目に表出した検証情報とを照合することによって検証作業が楽になり、また、1枚目に使用される紙の制約を受けない。
【発明を実施するための最良の形態】
【００２８】
以下、図面を参照しながら本発明の重ね合わせ帳票、およびその検証方法を実施するための最良の形態について詳述する。
【００２９】
図１は、固有情報が印字された重ね合わせ帳票の一実施形態について説明するための模式図、図２は、図１の帳票がセンターで切り離され、重ね合わせられる状態について説明するための模式図、図３は、重ね合わせ帳票に印字された検証のためのマークの一実施形態について説明するための模式図、図４は、重ね合わせ帳票に印字された検証のための文字による検証方法の一実施形態について説明するための模式図、図５は、図４の重ね合わせ帳票の完成図について説明するための模式図、図６は、重ね合わせ帳票の文字による検証方法の他の実施形態について説明するための模式図、図７は、図６のＡ−Ａ線断面について説明するための模式図である。
【００３０】
図１、図２を参照して本発明の重ね合わせ帳票の一実施形態について説明する。
【００３１】
図１に示す帳票の実施形態は、プリンタによって固有情報が印字された連続帳票の１実施形態である。
【００３２】
図の「Ａ」、「Ｂ」、「Ｃ」なる印字情報が印字された左側の列は、重ね合わせられた時に印字情報が表出する1枚目の帳票列（１）である。また、図の「Ａ′」、「Ｂ′」、「Ｃ′」なる印字情報が印字された右側の列は、重ね合わせられた時に印字情報が内包される２枚目の帳票列（２）である。1枚目、２枚目の帳票列の外側には帳票を駆動するためのスプロケットホール１３が形成されている。また、それぞれのスプロケットホールの内側には縦の切取りミシン１１、２２が形成されている。
【００３３】
また、１枚目の帳票１と、２枚目の帳票２の中間には多くの場合２個のスプロケットホールが形成され、２個のスプロケットホールの間には、スリット用のマーク３が印刷される。
【００３４】
スプロケットホールや、縦の切取りミシン、後述する横の切取りミシン等の加工は印刷機によって印刷と同じラインで行われる。
【００３５】
前述のスリット用のマークや、縦、横のミシンマーク、帳票の印刷が最初の印刷ユニットで行われ、最後に前述のスプロケットホールや、縦の切取りミシン、後述する横の切取りミシンが形成されロールにリワインドされたり、横のミシン目の部分でジグザグ状に折り畳まれる。
【００３６】
スプロケットホールは、プリンタに掛けられる際に連続フォームを駆動するために使用される。
【００３７】
また、印字された帳票を丁合したり、接着する際の帳票の駆動のために使用される。
【００３８】
スリット用のマーク３でスリットされると、図２に示すように同一幅の１枚目の帳票列と、２枚目の帳票列に分かれる。
【００３９】
１枚目の帳票１と、２枚目の帳票２は同一の幅となるようにスプロケットホール（１３）と、切取りミシン１１、１２、２１、２２の位置が定められる。
【００４０】
図２に示すように１枚目の帳票列（１）が、２枚目の帳票列（２）に重ね合わされ、接着剤によって固定されると、それぞれ縦に形成された切取りミシン１１と２１，１２と２２によってスプロケットホールが形成された部分は切断されて捨てられ、各帳票は横に形成された切取りミシン１７、１８によって切断される。
【００４１】
縦の切取りミシン１２，２１、および１１、２２は丁合時に切り取られることが明確になっている場合は、形成されない場合がある。
【００４２】
図３を参照して、重ね合わせ帳票に印字された検証のためのマークの一実施形態について説明する。
【００４３】
図１、２で説明したした重ね合わせ帳票に印字を行う際に、検証用のマークを例えば帳票の左右同じ位置に印字する。
【００４４】
図３において、印字情報「Ａ」が印字されている単位帳票の、長さ方向を約４０等分した等間隔のバー６（位置決めするためのプログラム上のバーで印字されるわけではない）の下から１５番目の位置の、スプロケットホール１３の間にマーク１５−１（１枚目の帳票用）と、マーク２５−１（２枚目の帳票用）を印字し、１枚目の帳票と２枚目の帳票が重ね合わせられた時に隣り合う位置にマークが並んでいれば１枚目の帳票と２枚目の帳票は整合がとれていると判断する。
【００４５】
マーク１５−１（１枚目の帳票用）と、マーク２５−１（２枚目の帳票用）は、単位帳票の左右の端部に印字され、マーク２５−１（２枚目の帳票用）は、１枚目の紙を透過して視認される。
【００４６】
図とは逆に、マーク１５−１（１枚目の帳票用）と、マーク２５−１（２枚目の帳票用）の位置を入れ替えて印字すれば表出されたマーク（マーク２５−１）は縦の切取りミシン１１で切り落とされて製品には残らないようにすることができる。
【００４７】
図４を参照して、重ね合わせ帳票に印字された検証のための文字による検証方法の一実施形態について説明する。
【００４８】
図３で説明した検証マークは帳票毎に異なる位置を定めてマークを印字したが、図４に示す例は、印字する場所を特定し、隣り合う単位帳票の印字情報の内容を変化させて検証する例である。
【００４９】
単位帳票の例えば１枚目の帳票の裏側（非印字面）と、２枚目の帳票のおもて側（印字面）に感圧接着剤４をパターン状に形成し印字した後圧着ローラで１枚目と２枚目の帳票を接着させる。その時に各枚目の帳票の右上に１枚目の帳票の検証文字１５−２、２枚目の帳票の検証文字２５−２を印字しておき、検証する。
【００５０】
１枚目の検証文字ａは、単位帳票の印字内容「Ａ」と関連がある文字を選択することができ、下部に連接されている単位帳票（印字内容「Ｂ」が印字されている）とは異なる検証文字とすることができる。
【００５１】
図５を参照して、図４の重ね合わせ帳票の完成図について説明する。
【００５２】
単位帳票の右上に１枚目に印字された検証文字ａ１５−２と、２枚目に印字された検証文字ａ２５−２が並んで印字されている。これらの文字は検証できる範囲で可能な限り縮小することが可能で、単位帳票に表出されていても邪魔にはならない。
【００５３】
なお、２枚目に印字された検証文字ａ２５−２は、１枚目の紙を透視して視認される文字である。
【００５４】
図３、図４で説明した実施形態は、２枚目に印字された検証マーク、または検証文字を１枚目の紙を透視して視認した。
【００５５】
そのために、例えば、連量で、上質紙の６４ｋｇ／平方メートル以下の用紙を使用する等、帳票に使用される１枚目の用紙が透視可能な密度条件と厚さ条件を備えていることが必要である。
【００５６】
図６を参照して、重ね合わせ帳票の文字による検証方法の他の実施形態について説明する。
【００５７】
図３、図４で説明した実施形態は、２枚目に印字された検証マーク、または検証文字を１枚目の紙を透視して視認した。そのために、帳票に使用される１枚目の用紙が透視可能な密度条件と厚さ条件を備えていることが必要である。
【００５８】
そこで、図６では、２枚目に印字した検証のための文字情報が透視で視認できない、例えば厚い用紙を使用しなければならない場合の検証方法について説明する。
【００５９】
図６において、１枚目の帳票と、２枚目の帳票は印字された後左側で線状に接着剤５で接着されている。
【００６０】
１枚目の右上には三角形の開口部が形成されている。開口部の左側、１枚目の帳票には検証のための文字ａ１５−３が、また、２枚目の帳票の開口部には検証のための文字ａ２５−３が印字され、丁合された単位帳票は、１枚目、２枚目共に検証文字が表出する。そのために１枚目の用紙の厚さに無関係で整合性を検証することが可能になる。
【００６１】
前述の例と同様、検証のための文字は帳票に印字されている内容に関連がある文字とすることができるために間違って重ね合わせられることはない。
【００６２】
例えば、単位帳票の印字内容が「Ａ」であれば検証のための文字ａ１５−３（２５−３）、単位帳票の印字内容が「Ｂ」であれば検証のための文字ｂ１６−３（２６−３）が印字される。
【００６３】
図１を併用しながら、図７を参照して、図６のＡ−Ａ線断面について説明する。
【００６４】
１枚目の帳票１と、２枚目の帳票２は接着剤５で接着されている。
【００６５】
この種の帳票は、多くの場合２枚綴りの複写帳票であるが顧客に必要な事項を記入してもらって２枚目を送信元に返送するような場合に適用され、顧客が記入しなければならない内容が多い場合等に適用される。
【００６６】
重ね合わせ帳票の左右には、スプロケットホール１３が、その内側には切取りミシン１１，２１、２２が形成されている。
【００６７】
１枚目の帳票には検証のための文字１５−３が、２枚目の帳票には検証のための文字２５−３が印字されている。
【００６８】
接着剤５は、剥離しやすい接着剤となっており１枚目と、２枚目を引き剥がす時に用紙を破壊させない接着剤で接着されている。
【産業上の利用可能性】
【００６９】
本発明の重ね合わせ帳票は、各種複写帳票、各種証書、保証書などに使用される。
【図面の簡単な説明】
【００７０】
【図１】固有情報が印字された重ね合わせ帳票の一実施形態について説明するための模式図である。
【図２】図１の帳票がセンターで切り離され、重ね合わせられる状態について説明するための模式図である。
【図３】重ね合わせ帳票に印字された検証のためのマークの一実施形態について説明するための模式図である。
【図４】重ね合わせ帳票に印字された検証のための文字による検証方法の一実施形態について説明するための模式図である。
【図５】図４の重ね合わせ帳票の完成図について説明するための模式図である。
【図６】重ね合わせ帳票の文字による検証方法の他の一実施形態について説明するための模式図である。
【図７】図６のＡ−Ａ線断面について説明するための模式図である。
【符号の説明】
【００７１】
１      １枚目帳票
２      ２枚目帳票
３      スリッターマーク
４      パターン状に塗布された接着剤
５      線状に塗布された接着剤
６      均等に分割されたマーキングの位置
１１，１２，２１，２２  切取りミシン（縦）
１３    スプロケットホール
１５−１，２５−１  検証のためのマーク
１５−２，１５−３，１６−３、２５−２，２５−３，２６−３  検証のための文字
１７，１８  切取りミシン（横）
【図１】
2005088504.tif 000003
【図２】
2005088504.tif 000004
【図３】
2005088504.tif 000005
【図４】
2005088504.tif 000006
【図５】
2005088504.tif 000007
【図６】
2005088504.tif 000008
【図７】
2005088504.tif 000009